(57)【要約】【課題】  通信端末とある装置との通信が接続されている時に後発装置から通信端末宛ての着信があった場合、容易、かつ、確実に、通信端末と後発装置との通信を後で自動的に接続することを可能とする着信制御サーバ、着信再送システム、及び、着信再送方法を提供する。【解決手段】  Ｐｕｓｈ  Ａｇｅｎｔサーバ３０は、移動機１０とプロバイダ装置４０ａとの通信が接続中であるか否かを表す接続状態情報を接続状態記憶部３１に記憶し、接続状態情報が接続中であることを示している時に後発のプロバイダ装置４０ｂから移動機１０宛ての着信があった場合、当該着信があった旨を表す接続中着信情報を接続中着信記憶部３２に記憶する。後発接続部３３は、移動機１０とプロバイダ装置４０ａとの通信が切断された時に接続中着信記憶部３２に接続中着信情報が記憶されている場合、移動機１０とプロバイダ装置４０ｂとの通信を接続する。【選択図】  図１
2006148788.tif 000002
【特許請求の範囲】
【請求項１】
通信端末とある装置との通信が接続中であるか否かを示す接続状態情報を記憶する接続状態記憶手段と、
前記接続状態記憶手段に記憶されている接続状態情報が接続中であることを示している時に後発装置から前記通信端末宛ての着信があった場合、該着信があった旨を示す接続中着信情報を記憶する接続中着信記憶手段と、
前記通信端末と前記ある装置との通信が切断された時に前記接続中着信記憶手段に前記接続中着信情報が記憶されている場合、前記通信端末と前記後発装置との通信を接続する後発接続手段と
を備えることを特徴とする着信制御サーバ。
【請求項２】
前記後発接続手段は、
前記後発装置に代わって着信信号の再送を行うことにより、前記通信端末と前記後発装置との通信を接続することを特徴とする
請求項１に記載の着信制御サーバ。
【請求項３】
交換機と着信制御サーバとを含む着信再送システムにおいて、
前記交換機は、
通信端末とある装置との通信が接続された時に、該接続された旨を前記着信制御サーバに通知する接続中通知手段と、
前記通信端末と前記ある装置との通信が接続されている時に後発装置から前記通信端末宛ての着信があった場合、該着信があった旨を前記着信制御サーバに通知する接続中着信通知手段と、
前記通信端末と前記ある装置との通信が切断された場合に、該切断された旨を着信制御サーバに通知する切断通知手段と
を備え、
前記着信制御サーバは、
前記通信端末とある装置との通信が接続中であるか否かを示す接続状態情報を記憶する接続状態記憶手段と、
前記接続状態記憶手段に記憶されている接続状態情報が接続中であることを示している時に後発装置から前記通信端末宛ての着信があった旨を前記交換機から通知された場合、該着信があった旨を示す接続中着信情報を記憶する接続中着信記憶手段と、
前記通信端末と前記ある装置との通信が切断された旨を前記交換機から通知された時に前記接続中着信記憶手段に前記接続中着信情報が記憶されている場合、前記通信端末と前記後発装置との通信を接続する後発接続手段と
を備えることを特徴とする着信再送システム。
【請求項４】
通信端末とある装置との通信が接続された時に、交換機が、該接続された旨を着信制御サーバに通知する接続通知ステップと、
前記着信制御サーバが、前記接続通知ステップにおいて通知された内容に基づいて、接続中であることを示す接続状態情報を記憶する接続記憶ステップと、
後発装置から前記通信端末宛ての着信があった場合に、前記交換機が、該着信があった旨を前記着信制御サーバに通知する接続中着信通知ステップと、
前記着信制御サーバが、前記接続中着信通知ステップにおける通知を受けた時に前記接続状態情報が接続中であることを示していた場合に、前記後発装置から着信があった旨を示す接続中着信情報を記憶する接続中着信記憶ステップと、
前記通信端末と前記ある装置との通信が切断された時に、前記交換機が、該切断された旨を着信制御サーバに通知する着信通知ステップと、
前記着信制御サーバが、前記着信通知ステップにおける通知を受けた時に前記接続中着信情報を記憶していた場合、前記通信端末と前記後発装置との通信を接続するための着信再送信号を送信する着信再送ステップと、
前記通信端末が、前記着信再送ステップにおいて送信された着信再送信号を受信した場合に、通信の接続を要求するための接続要求信号を前記後発装置宛てに送信する接続先切替ステップと
を有することを特徴とする着信再送方法。
【発明の詳細な説明】
【技術分野】
【０００１】
本発明は、通信端末とある装置との通信が接続されている時に、後から発信してきた後発装置から通信端末宛てに着信があった場合、接続制御を行う着信制御サーバ、着信再送システム、及び、着信再送方法に関する。
【背景技術】
【０００２】
従来、３ＧＰＰ（3rd Generation Partnership Project）標準方式によるモバイルネットワークにおいて、移動機と先発のプロバイダ装置（ＡＰＮ（Access Point Name；アクセスポイント名）：ＩＳＰ１）との通信が接続中である時に（ステップＳ１０１）、後発のプロバイダ装置（ＡＰＮ：ＩＳＰ２）から、電子メール配信、遠隔制御等のＰｕｓｈサービスの着信があった場合（ステップＳ１０２）、ＡＰＮ競合が生じて後発のプロバイダ装置からの接続要求が拒否されてしまう（ステップＳ１０３）という問題点があった。また、移動機を使用しているユーザは、後発のプロバイダ装置から着信があったことを知る術がなく、Ｐｕｓｈサービスを受けることができなかった。
【０００３】
さらに、ユーザが、何らかの方法で着信があったことに気づいたとしても、後発のプロバイダ装置と通信を接続するためには、改めてユーザ自らの操作が必要であった。
このような問題を解決するための従来技術として、メールサービスセンタによる電子メールメッセージの再送技術が存在する（例えば、特許文献１参照）。特許文献１に記載の技術によれば、メールサービスセンタは、メッセージの送信時に全ての送信用回線又は送信先の回線が使用中の場合にはメッセージを待機させ、送信用回線及び送信先回線が空き状態になり次第、待機させてあるメッセージを送信する。
【特許文献１】特開平０５−０７５６４３号公報（段落００２２、００４２、００４３）
【発明の開示】
【発明が解決しようとする課題】
【０００４】
特許文献１に記載の技術を上記のモバイルネットワークに適用した場合には、全てのプロバイダ装置に対して、Ｐｕｓｈサービス用のメッセージを待機、再送する仕組みを構築する必要がある。しかしながら、全てのプロバイダ装置にこのような仕組みを構築するには手間と費用がかかる。また、全てのプロバイダの合意を得てプロバイダ装置毎にこのような仕組みを確実に導入することは容易でない。このため、後発のプロバイダ装置が、容易、かつ、確実に、移動機に接続して、Ｐｕｓｈサービスの提供を可能とする仕組みを構築することが望まれている。
【０００５】
本発明は以上のような課題に鑑みてなされたものであり、通信端末とある装置との通信が接続されている時に後発装置から通信端末宛ての着信を受けた場合、容易、かつ、確実に、通信端末と後発装置との通信を後で自動的に接続することを可能とする着信制御サーバ、着信再送システム、及び、着信再送方法を提供することを目的とする。
【課題を解決するための手段】
【０００６】
上記課題を解決するために、請求項１に記載の発明は、通信端末とある装置との通信が接続中であるか否かを示す接続状態情報を記憶する接続状態記憶手段と、前記接続状態記憶手段に記憶されている接続状態情報が接続中であることを示している時に後発装置から前記通信端末宛ての着信があった場合、該着信があった旨を示す接続中着信情報を記憶する接続中着信記憶手段と、前記通信端末と前記ある装置との通信が切断された時に前記接続中着信記憶手段に前記接続中着信情報が記憶されている場合、前記通信端末と前記後発装置との通信を接続する後発接続手段とを備えることを特徴とする着信制御サーバを提供する。
【０００７】
この構成によれば、着信制御サーバは、接続状態情報及び接続中着信情報を記憶し、通信端末とある装置との通信が切断された時に接続中着信記憶手段に接続中着信情報が記憶されている場合、通信端末と後発装置との通信を接続する。このように、着信制御サーバが接続状態や着信を管理し接続を制御するため、通信端末とある装置との通信が接続されている時に後発装置から通信端末宛ての着信があった場合、容易、かつ、確実に、通信端末と後発装置との通信を後で自動的に接続することが可能となる。
【０００８】
請求項２に記載の発明は、請求項１に記載の着信制御サーバにおいて、前記後発接続手段は、前記後発装置に代わって着信信号の再送を行うことにより、前記通信端末と前記後発装置との通信を接続することを特徴とする。
この構成によれば、後発装置に処理負荷をかけることなく、また、後発装置の構造や機能を変更することなく、前記通信端末と前記後発装置との通信を接続することができる。
【０００９】
請求項３に記載の発明は、交換機と着信制御サーバとを含む着信再送システムにおいて、前記交換機は、通信端末とある装置との通信が接続された時に、該接続された旨を前記着信制御サーバに通知する接続中通知手段と、前記通信端末と前記ある装置との通信が接続されている時に後発装置から前記通信端末宛ての着信があった場合、該着信があった旨を前記着信制御サーバに通知する接続中着信通知手段と、前記通信端末と前記ある装置との通信が切断された場合に、該切断された旨を着信制御サーバに通知する切断通知手段とを備え、前記着信制御サーバは、前記通信端末とある装置との通信が接続中であるか否かを示す接続状態情報を記憶する接続状態記憶手段と、前記接続状態記憶手段に記憶されている接続状態情報が接続中であることを示している時に後発装置から前記通信端末宛ての着信があった旨を前記交換機から通知された場合、該着信があった旨を示す接続中着信情報を記憶する接続中着信記憶手段と、前記通信端末と前記ある装置との通信が切断された旨を前記交換機から通知された時に前記接続中着信記憶手段に前記接続中着信情報が記憶されている場合、前記通信端末と前記後発装置との通信を接続する後発接続手段とを備えることを特徴とする着信再送システムを提供する。
【００１０】
この構成によれば、交換機は、装置間の通信が接続された旨、切断された旨、及び、着信があった旨を着信制御サーバに通知し、着信制御サーバは、交換機からの通知によって、接続状態情報及び接続中着信情報を記憶し、通信端末とある装置との通信が切断された旨の通知を受けた時に接続中着信情報を記憶している場合、通信端末と後発装置との通信を接続する。このため、着信制御サーバの制御によって、通信端末とある装置との通信が接続中されている時に後発装置から通信端末宛ての着信があった場合、容易、かつ、確実に、通信端末と後発装置との通信を後で自動的に接続することが可能となる。
【００１１】
請求項４に記載の発明は、通信端末とある装置との通信が接続された時に、交換機が、該接続された旨を着信制御サーバに通知する接続通知ステップと、前記着信制御サーバが、前記接続通知ステップにおいて通知された内容に基づいて、接続中であることを示す接続状態情報を記憶する接続記憶ステップと、後発装置から前記通信端末宛ての着信があった場合に、前記交換機が、該着信があった旨を前記着信制御サーバに通知する接続中着信通知ステップと、前記着信制御サーバが、前記接続中着信通知ステップにおける通知を受けた時に前記接続状態情報が接続中であることを示していた場合に、前記後発装置から着信があった旨を示す接続中着信情報を記憶する接続中着信記憶ステップと、前記通信端末と前記ある装置との通信が切断された時に、前記交換機が、該切断された旨を着信制御サーバに通知する着信通知ステップと、前記着信制御サーバが、前記着信通知ステップにおける通知を受けた時に前記接続中着信情報を記憶していた場合、前記通信端末と前記後発装置との通信を接続するための着信再送信号を送信する着信再送ステップと、前記通信端末が、前記着信再送ステップにおいて送信された着信再送信号を受信した場合に、通信の接続を要求するための接続要求信号を前記後発装置宛てに送信する接続先切替ステップとを有することを特徴とする着信再送方法を提供する。
【００１２】
この方法によれば、交換機は、装置間の通信が接続された旨、切断された旨、及び、着信があった旨を着信制御サーバに通知し、着信制御サーバは、交換機からの通知によって、接続状態情報及び接続中着信情報を管理し、通信端末とある装置との通信が切断された旨の通知を受けた時に接続中着信情報を記憶している場合、通信端末と後発装置との通信を接続する。このため、通信端末とある装置とが接続されている時に後発装置から通信端末宛ての着信があった場合、容易、かつ、確実に、通信端末と後発装置との通信を後で自動的に接続させることが可能となる。
【発明の効果】
【００１３】
以上のように、本発明によれば、着信制御サーバは、接続状態情報及び接続中着信情報を記憶し、通信端末とある装置との通信が切断された時に接続中着信記憶手段に接続中着信情報が記憶されている場合、通信端末と後発装置との通信を接続する。このように、着信制御サーバが接続状態や着信を管理し接続を制御するため、通信端末とある装置との通信が接続されている時に後発装置から通信端末宛ての着信があった場合、容易、かつ、確実に、通信端末と後発装置との通信を後で自動的に接続することが可能となる。
【発明を実施するための最良の形態】
【００１４】
次に、図面を参照しながら、本発明の実施の形態について説明する。なお、以下の説明において参照する各図においては、他の図と同等部分に同一符号が付されている。
［１．構成］
図１は、本発明の実施の形態に係る着信再送システム１の全体構成を示す図である。この着信再送システム１は、第３世代移動通信システム（ＩＭＴ−２０００）の標準規格である３ＧＰＰに準拠した通信ネットワークである。同図に示すように、着信再送システム１は、移動機１０と、ＣＮ（Core Network）を構成する交換機２０と、Ｐｕｓｈ  Ａｇｅｎｔサーバ（着信制御サーバ）３０と、プロバイダ装置４０ａ，４０ｂとを含んで構成される。
なお、同図においては、プロバイダ装置を２つ図示しているが、実際には複数存在する。また、以下の説明では、プロバイダ装置４０ａとプロバイダ装置４０ｂとを特に区別する必要がない場合には、「プロバイダ装置４０」と記述する。
【００１５】
［１．１．Ｐｕｓｈ  Ａｇｅｎｔサーバの構成］
次に、Ｐｕｓｈ  Ａｇｅｎｔサーバ３０の構成について説明する。Ｐｕｓｈ  Ａｇｅｎｔサーバ３０は、全体を制御するＣＰＵ（Central Processing Unit）、起動時に実行されるプログラムが記憶されたＲＯＭ（Read Only Memory）、データを一時的に記憶するＲＡＭ（Random Access Memory）、データやプログラム等のソフトウェアを記憶するハードディスク装置、及び、ネットワークを介してデータの授受を制御する通信インターフェースを備えており、一般的なコンピュータのハードウェア構成を備えている。
【００１６】
Ｐｕｓｈ  Ａｇｅｎｔサーバ３０が備えるハードディスク装置には、図２に示す接続状態管理テーブルが設けられている。同図に示すように、接続状態管理テーブルは、移動機１０ユーザの識別情報を記憶するための「移動機ユーザＩＤ」と、移動機１０と他の装置との通信が接続されている最中か否かを示す接続状態情報を記憶するための「接続状態」と、移動機１０の通信接続中に着信があったことを示す接続中着信情報を記憶するための「接続中着信」と、で構成されている。
【００１７】
また、ハードディスク装置には各種プログラムが記憶されている。各種プログラムの中には、接続状態情報及び接続中着信情報を接続状態管理テーブルに記憶するためのプログラムと、接続状態管理テーブルに記憶されている情報に基づいて移動機１０とプロバイダ装置４０との通信の接続を制御するためのプログラムとが含まれている。
Ｐｕｓｈ  Ａｇｅｎｔサーバ３０が備えるこれらのハードウェア及びソフトウェアによって、図３に示す機能構成がＰｕｓｈ  Ａｇｅｎｔサーバ３０に実現される。同図に示す接続状態記憶部３１は、接続状態管理テーブルの「接続状態」で構成され、移動機１０がプロバイダ装置４０と通信を接続中か否かを示す接続状態情報を記憶する。
【００１８】
接続中着信記憶部３２は、接続状態管理テーブルの「接続中着信」で構成される。接続中着信記憶部３２は、接続状態記憶部３１に記憶されている接続状態情報が、移動機１０とプロバイダ装置４０との通信が接続中であることを示している時に、後発のプロバイダ装置４０から移動機１０宛ての着信があった旨の通知を交換機２０から受けた場合、当該着信があった旨を表す接続中着信情報を記憶する。
後発接続部３３は、移動機１０とあるプロバイダ装置４０との通信が切断された旨の通知を交換機２０から受けた時に、移動機１０に対して後発のプロバイダ装置４０から着信があったことを示す接続中着信情報が接続中着信記憶部３２に記憶されている場合、移動機１０と後発のプロバイダ装置４０との通信を接続する。
【００１９】
移動機１０と後発のプロバイダ装置４０との通信を接続する方法としては、後発接続部３３が、後発のプロバイダ装置４０に代わって着信信号の再送を行うことにより、あたかも後発のプロバイダ装置４０から着信信号の再送が行われたかのように、移動機１０と後発のプロバイダ装置４０との通信を接続する。以下では、後発接続部３３が再送する着信信号を「着信再送信号」という。なお、この着信再送信号は、移動機１０と後発のプロバイダ装置４０との通信を接続し、後発のプロバイダ装置４０から移動機１０にＰｕｓｈサービスの提供を可能とする信号であればよい。従って、この着信再送信号は、後発のプロバイダ装置４０から受信した着信信号と全く同じデータ構成を有する信号でなくてもよい。本実施形態においては、着信再送信号には、後発のプロバイダ装置４０のＡＰＮが含まれている。
【００２０】
［１．２．交換機の構成］
次に、交換機２０の構成について説明する。交換機２０は、一般的なコンピュータのハードウェア構成を備えており、ＣＰＵ、記憶装置、及び、通信装置を備えている。交換機２０の記憶装置には、プログラム及びデータを含むソフトウェアが記憶されている。記憶装置に記憶されるプログラムの中には、従来からの交換機としての機能を実現させるためのプログラムに加えて、移動機１０とプロバイダ装置４０との通信が接続されたことや切断されたこと、及び、プロバイダ装置４０から着信があったことを、逐次、Ｐｕｓｈ  Ａｇｅｎｔサーバ３０に通知するためのプログラムが含まれている。交換機２０が備えるこれらのハードウェア及びソフトウェアにより、図４に示す本発明に特徴的な機能構成が交換機２０に実現される。
【００２１】
接続通知部２１は、移動機１０と、あるプロバイダ装置４０との通信が接続された時に、当該接続された旨をＰｕｓｈ  Ａｇｅｎｔサーバ３０に通知する。
接続中着信通知部２２は、移動機１０と、あるプロバイダ装置４０との通信が接続されている時に、後発のプロバイダ装置４０から着信信号を受信した場合、後発のプロバイダ装置４０から着信があった旨をＰｕｓｈ  Ａｇｅｎｔサーバ３０に通知する。
切断通知部２３は、移動機１０と、あるプロバイダ装置４０との通信が切断された時に、当該切断された旨をＰｕｓｈ  Ａｇｅｎｔサーバ３０に通知する。
【００２２】
［１．３．移動機の構成］
次に移動機１０の構成について説明する。移動機１０は、一般的な携帯電話機であり、移動機１０全体を制御するＣＰＵと、無線通信を制御する通信インターフェースと、外部からの操作を受けてＣＰＵに指令を与える操作キーと、データを一時的に記憶する揮発性メモリと、各種プログラム及びデータを記憶する不揮発性メモリと、を備えている。不揮発性メモリには、移動機１０が接続すべきプロバイダ装置４０を識別するためのＡＰＮを格納しておくための領域が設けられている。
【００２３】
移動機１０は、不揮発性メモリに記憶されているＡＰＮを含んだ接続要求信号を送信することにより、プロバイダ装置４０と接続する。
移動機１０は、着信再送信号をＰｕｓｈ  Ａｇｅｎｔサーバ３０から受信した場合に、当該着信再送信号に含まれる後発のプロバイダ装置４０のＡＰＮを取得する。移動機１０は、当該ＡＰＮを含む接続要求信号を生成し、生成した接続要求信号をプロバイダ装置４０宛てに送信する。
【００２４】
［２．動作］
次に、上記構成における動作例について説明する。
［２．１．先発ＡＰＮ接続時］
まず、図５及び図６を参照して、移動機１０がプロバイダ装置４０ａに接続するときの動作について説明する。
前提として、移動機１０の不揮発性メモリには、プロバイダ装置４０ａのＡＰＮ“ＩＳＰ１”が記憶されているものとする。
まず、ユーザは、移動機１０を操作して、プロバイダ装置４０ａに接続する指示を行う。これにより、移動機１０は、不揮発性メモリに記憶されているＡＰＮ“ＩＳＰ１”を含む接続要求信号を生成し、当該接続要求信号を送信する（ステップＳ１）。
【００２５】
交換機２０は、移動機１０から接続要求信号を受信すると、当該接続要求信号に含まれるＡＰＮで識別されるプロバイダ装置４０ａ宛てに接続要求信号を転送する（ステップＳ２）。これにより、移動機１０とプロバイダ装置４０ａとの通信が接続される。
交換機２０の接続通知部２１は、移動機１０とプロバイダ装置４０ａとの通信が接続された旨をＰｕｓｈ  Ａｇｅｎｔサーバ３０に通知する（ステップＳ３）。
Ｐｕｓｈ  Ａｇｅｎｔサーバ３０は通知を受けると、移動機１０とプロバイダ装置４０ａとが接続中である旨を示す接続状態情報を接続状態記憶部３１に保持する（ステップＳ４）。
【００２６】
［２．２．後発ＡＰＮ着信時］
次に、図５及び図７を参照して、移動機１０とプロバイダ装置４０ａとの通信が接続されている時に、後発のプロバイダ装置４０ｂから移動機１０宛ての着信があった場合の動作について説明する。
まず、プロバイダ装置４０ｂは、移動機１０にメール配信等のＰｕｓｈサービスを行うために、移動機１０宛てに発信する（ステップＳ１１）。
交換機２０は、プロバイダ装置４０ｂから移動機１０宛ての着信信号を受信する。この時点では、移動機１０とプロバイダ装置４０ａとの通信接続中であるため、交換機２０はＡＰＮ競合と認識し、後発のプロバイダ装置４０ｂからの着信信号を拒否する（ステップＳ１２）。
【００２７】
交換機２０の接続中着信通知部２２は、プロバイダ装置４０ｂから移動機１０宛ての着信があった旨をＰｕｓｈ  Ａｇｅｎｔサーバ３０に通知する（ステップＳ１３）。
Ｐｕｓｈ  Ａｇｅｎｔサーバ３０は、交換機２０からの通知を受信した時に、接続状態記憶部３１に記憶されている接続状態情報の内容を確信する。接続状態情報が、移動機１０が接続中であることを示していた場合、Ｐｕｓｈ  Ａｇｅｎｔサーバ３０は、プロバイダ装置４０ｂから着信があった旨を示す接続中着信情報を、接続中着信記憶部３２に記憶する（ステップＳ１４）。
【００２８】
［２．３．先発ＡＰＮ切断時］
次に、図５及び図８を参照して、移動機１０とプロバイダ装置４０ａとの通信が切断された時の動作について説明する。ここでは、ユーザの操作により、移動機１０とプロバイダ装置４０ａとの通信が切断される場合について説明する。
まず、ユーザは移動機１０を操作して、プロバイダ装置４０ａとの通信を切断する指示を行う。これにより、移動機１０は、通信の切断を要求するための切断要求信号を送信する（ステップＳ２１）。
交換機２０は、移動機１０からの切断要求信号を受信すると、移動機１０とプロバイダ装置４０ａとの通信を切断する（ステップＳ２２）。
【００２９】
次に、交換機２０の切断通知部２３は、移動機１０とプロバイダ装置４０ａとの通信が切断された旨をＰｕｓｈ  Ａｇｅｎｔサーバ３０に通知する（ステップＳ２３）。
Ｐｕｓｈ  Ａｇｅｎｔサーバ３０は、移動機１０とプロバイダ装置４０ａとの通信が切断された旨の通知を交換機２０から受けた時に、接続中着信記憶部３２に接続中着信情報が記憶されているか否かを確認する。ここでは、プロバイダ装置４０ｂから着信があった旨を示す接続中着信情報が接続中着信記憶部３２に記憶されているため、後発接続部３３は、プロバイダ装置４０ｂのＡＰＮ“ＩＳＰ２”を含んだ着信再送信号を生成する。そして、後発接続部３３は、生成した着信再送信号を移動機１０に送信する（ステップＳ２４）。
【００３０】
移動機１０は、Ｐｕｓｈ  Ａｇｅｎｔサーバ３０からの着信再送信号を受信すると、着信再送信号に含まれるＡＰＮ“ＩＳＰ２”を含んだ接続要求信号を生成する。移動機１０は、生成した接続要求信号をプロバイダ装置４０ｂ宛てに送信する（ステップＳ２５）。これにより、移動機１０とプロバイダ装置４０ｂとの通信が接続され、プロバイダ装置４０ｂは、プッシュサービスを移動機１０に提供する。
【００３１】
なお、移動機１０がＰｕｓｈ  Ａｇｅｎｔサーバ３０からの着信再送信号を受信した時に、ＡＰＮ“ＩＳＰ２”を含んだ接続要求信号を生成するのみではなく、不揮発性メモリに記憶されているＡＰＮを“ＩＳＰ１”から“ＩＳＰ２”に書き換えてもよい。また、例えば、移動機１０の不揮発性メモリに複数のＡＰＮを書き込むことが可能な機種の場合には、接続対象として選択されているＡＰＮを“ＩＳＰ１”から“ＩＳＰ２”に変更するようにしてもよい。
【００３２】
以上説明したように、交換機２０は、移動機１０とあるプロバイダ装置４０との間の通信が接続された旨、切断された旨、及び、後発のプロバイダ装置４０から着信があった旨を逐次Ｐｕｓｈ  Ａｇｅｎｔサーバ３０に通知する。Ｐｕｓｈ  Ａｇｅｎｔサーバ３０は、交換機２０からの通知によって接続状態情報及び接続中着信情報を管理する。そして、移動機１０とあるプロバイダ装置４０との通信が切断された時に接続中着信記憶部３２に接続中着信情報が記憶されていた場合、Ｐｕｓｈ  Ａｇｅｎｔサーバ３０は着信再送信号を移動機１０に送信することにより、移動機１０とプロバイダ装置４０ｂとの通信を接続する。
【００３３】
このように、新たにＰｕｓｈ  Ａｇｅｎｔサーバ３０を設けるのみで、接続状態や着信を管理し接続を制御することができるため、移動機１０とあるプロバイダ装置４０との通信接続中に後発のプロバイダ装置４０から移動機１０への着信があった場合、移動機１０とあるプロバイダ装置４０との通信が切断されてから移動機１０と後発のプロバイダ装置４０との通信を確実に接続する仕組みを容易に構築することができる。このため、ユーザにとっては利便性の向上が見込まれ、プロバイダ装置４０を扱うオペレータにとっては、Ｐｕｓｈサービスの完了率を高めることができる。
【００３４】
また、Ｐｕｓｈ  Ａｇｅｎｔサーバ３０がプロバイダ装置４０に代わって着信信号の再送を行うため、プロバイダ装置４０に処理負荷をかけることなく、また、プロバイダ装置４０の機能を変更する必要がないため、容易に実施することができる。
なお、上述した実施形態においては、着信再送システム１は３ＧＰＰに準拠した通信ネットワークであるとして説明したが、これに限定されることはなく、第２世代の移動通信ネットワークであってもよい。
【００３５】
また、上述した実施形態においては、Ｐｕｓｈ  Ａｇｅｎｔサーバ３０の後発接続部３３は、プロバイダ装置４０ｂに代わって着信信号の再送を行うことにより、移動機１０とプロバイダ装置４０ｂとの通信を接続するとして説明したが、移動機１０とプロバイダ装置４０ｂとの通信を接続する方法はこれに限定されず、例えば、後発接続部３３が、プロバイダ装置４０ｂに対して、再度移動機１０に発信を行うよう指示する信号を送信するようにしてもよい。
【００３６】
また、上述した実施形態におけるプロバイダ装置４０ａまたはプロバイダ装置４０ｂが移動機であってもよい。すなわち、移動機同士が通話している最中に後発の移動機からの着信があった場合にも本発明を適用することができる。
また、移動機１０は携帯電話機であるとして説明したが、通信可能な端末であれば、ＰＨＳ（Personal Handyphone System）であっても、ＰＤＡ（Personal Digital Assistance）であっても、パーソナルコンピュータであってもよい。
【図面の簡単な説明】
【００３７】
【図１】本発明の実施の形態に係る着信再送システムの全体構成を示す図である。
【図２】同実施の形態に係る接続状態管理テーブルのデータ構成を示す図である。
【図３】同実施の形態に係るＰｕｓｈ  Ａｇｅｎｔサーバの機能構成を示す図である。
【図４】同実施の形態に係る交換機の機能構成を示す図である。
【図５】同実施の形態に係る着信再送システムの動作例全体を示すシーケンスチャートである。
【図６】同実施の形態に係る移動機がプロバイダ装置４０ａに接続するときの動作を示すシーケンスチャートである。
【図７】同実施の形態に係る移動機とプロバイダ装置４０ａとの通信接続中に、後発のプロバイダ装置４０ｂから移動機宛ての着信があった場合の動作を示すシーケンスチャートである。
【図８】同実施の形態に係る移動機とプロバイダ装置４０ａとの通信が切断された時の動作を示すシーケンスチャートである。
【図９】従来の移動機とあるプロバイダ装置との通信接続中に、後発のプロバイダ装置から移動機宛ての着信があった場合の動作を示すシーケンスチャートである。
【符号の説明】
【００３８】
１      着信再送システム
１０    移動機
２０    交換機
２１    接続通知部
２２    接続中着信通知部
２３    切断通知部
３０    Ｐｕｓｈ  Ａｇｅｎｔサーバ
３１    接続状態記憶部
３２    接続中着信記憶部
３３    後発接続部
４０，４０ａ，４０ｂ プロバイダ装置
【図１】
2006148788.tif 000003
【図２】
2006148788.tif 000004
【図３】
2006148788.tif 000005
【図４】
2006148788.tif 000006
【図５】
2006148788.tif 000007
【図６】
2006148788.tif 000008
【図７】
2006148788.tif 000009
【図８】
2006148788.tif 000010
【図９】
2006148788.tif 000011